Podtech/llm-jp-corpus-v4-ja_patent huggingface dataset:
(57)【要約】      （修正有）【課題】労働力の軽減を計り、時間の節約と、清潔感を保ち、幅広い用途を可能にするぞうきんがけ用具の提供。【解決手段】長方形の溝型の箱体１の前後の壁面板に、転動可能な押え枠６を設置し、その間の中央に中心棒３を、該中心棒の前後に巻きつけ棒４と巻き取り棒５とを配し、かつ中心棒３と巻き取り棒５の各々両端に歯車７を設置し、箱体１の内部中央に前後に転動可能に設けたパイプ状の柄２の内部に、上部歯車９と中心棒３を通した下部歯車８を設置し、該歯車８及び９に無限ベルト１０を架けて、上部歯車９の柄２の側面に設けた円板状のハンドル１１を回転させることにより、無限ベルト１０を介し下部歯車８に回転を伝え、同時に中心棒３と巻き取り棒５とを連動させることによって、巻きつけ棒４に巻かれた布面を巻き取り棒５へと移動させる。【選択図】図１
2008149096.tif 000002
【特許請求の範囲】
【請求項１】
長方形の上部が開口した箱体と、この箱体の内部底中心部に、前後に転動可能に設けられた柄と、から成るぞうきんがけ用具であって、前記箱体の前後の壁面板には、転動可能な押え枠が設置され、その間には、中心棒を中央に、前後に巻きつけ棒、巻き取り棒の３本が渡された状態に設置され、うち中心棒と巻き取り棒の両端には、各々歯車が設置され、パイプ状の前記柄の内部には、上部歯車と下部歯車が設置され、これらの歯車に無限ベルトが架けられ、下部歯車の中心部と柄の下部に、中心棒が通された状態で設置され、上部歯車の柄のいずれか側面に円板状のハンドルを設け、このハンドルを回転させ、ベルトを介し下部歯車に回転を伝え、同時に、中心棒と巻き取り棒の両端歯車が連動することによって、巻きつけ棒の布面が巻き取り棒へと移動することを特徴とするぞうきんがけ用具。
【発明の詳細な説明】
【技術分野】
【０００１】  本発明は、楽なぞうきんがけを可能にする用具に関するものである。
【背景技術】
【０００２】  従来のぞうきんがけ作業は面倒であった。
それらは、腰を落とし這う姿勢での作業のため体にかかる負担が大きく、又汚れた布面を変えたり、別のものに交換する必要もあり、狭い範囲で進むため効率が悪く、又、モップ式では、同じ布面で汚れを拭くため、清潔感に欠け、途中で洗ったり、取り付ける作業等不便であった。
【発明の開示】
【発明が解決しようとする課題】
【０００３】  腰を落とし這う姿勢のため体にかかる負担も大きく、汚れた布面を変えたり、別のものに交換する必要や、狭い範囲で進むため時間を要し効率が悪く、又モップ式では同じ布面で汚れを拭くため清潔感に欠け、途中で洗ったり取り付け等の作業等面倒であった。
本発明は、以上の問題点を解決しようとするものである。
【問題を解決するための手段】
【０００４】  長方形の上部が開口した箱体と、この箱体の内部底中心部に、前後に転動可能に設けられた柄と、から成るぞうきんがけ用具であって、前記箱体前後の壁面板には、転動可能な押え枠が設置され、その間には、中心棒を中央に、その前後に巻きつけ棒、巻き取り棒の３本が渡された状態に設置され、うち中心棒と巻き取り棒の両端には、各々歯車が設置され、パイプ状の前記柄の内部には、上部歯車と下部歯車が設置され、これらの歯車に無限ベルトが架けられ、下部歯車の中心部と柄の下部に、中心棒が通された状態で設置され、上部歯車の柄のいずれかの側面に、円板状のハンドルを設け、このハンドルを回転させ、ベルトを介し下部歯車に回転を伝え、同時に中心棒と巻き取り棒の両端歯車が連動することによって、一方の巻きつけ棒の布面が他方の巻き取り棒へと移動する。
以上を特徴とする、ぞうきんがけ用具である。
【発明の効果】
【０００５】  本発明は、楽なぞうきんがけを可能にし、体にかかる負担を軽減し、途中の布交換を不要にし、時間の節約を計り、汚れた布面を移動させ清潔感を保ち、柄によって高い場所や窓、壁、等、又水拭き、空拭き、ワックスがけと幅広い用途で便利である。
【発明を実施するための最良の形態】
【０００６】  以下、本発明の実施の形態の説明をする。
（イ）長方形の上部が開口した箱体（１）の内部の端々には、転動可能で底に丸みを持ち、その底にゴムを張った、枠型の押え具（６）が箱体（１）に、収まる状態に設置され、その押え枠（６）の底が当たる箱体（１）の部分にもゴムが張られ、箱体（１）の内中心部に転動可能な、パイプ状の柄（２）とその前後いずれかに、巻きつけ棒（４）を収めるための溝（１２）も箱体（１）の内側面に形成され、箱体（１）の外床面は液状でクッション性のあるゴム又はスポンジを用いる。
尚、押え枠は内側開口の枠体にて形成される。
（ロ）前記箱体（１）の内側中心部に設置された柄（２）の内部上下には、上部歯車（９）と下部歯車（８）が設けられ、それら歯車には、無限ベルト（１０）が架けられ、柄（２）のいずれか側面に円板状ハンドル（１１）が設けられる。
（ハ）前記箱体（１）の内部には、柄（２）と連結した中心棒（３）と棒の表面に面ファスナーを装着した巻きつけ棒（４）と同じく棒表面に面ファスナーを装着した巻き取り棒（５）が渡された状態に設置され、うち中心棒（３）と巻き取り棒（５）の両端には歯車（７）が形成されており、それらの歯車（７）は噛み合う状態に設置され前記柄（２）の下部歯車（８）の中心部と柄（２）の下部に中心棒（３）が通された状態で設置される。
（ニ）別に本発明の直接の清掃体となる長帯状の布体（１３）を形成する。
この布体（１３）の幅は、箱体（１）の内側面に形成される歯車（７）の幅を除く範囲内の幅として形成され、この布体（１３）の短辺部位の両端には面ファスナーを装着する。
本発明は以上の構成より成っている。
本発明を使用する時は、布体（１３）の端に装着されている面ファスナーを巻きつけ棒（４）の表面の面ファスナーに接着し、巻きつけ棒（４）に巻き終えて箱体（１）の溝（１２）に収め、押え枠（６）は両方共に解放状態にしておき、布体（１３）を箱体（１）の床底面を渡すように、巻き取り棒（５）の面ファスナーに取り付け、押え枠（６）を固定の状態に収め、使用し、布面が汚れ布体を移動させる時は、押え枠を足で解放状態にし、ハンドル（１１）を回転させることにより、上部歯車（９）の回転がベルト（１０）を介し、下部歯車（８）の回転が中心棒（３）の両端の歯車（７）と噛み合っている巻き取り棒（５）の両端の歯車（７）が同時に回転することで、汚れた布面を巻き取ることにより移動させ、巻きつけ棒（４）の布体が終った場合は、両方の押え具（６）を解放状態にし、巻きつけ棒（４）から布体（１３）を取り外し引くと、ハンドル（１１）とベルト（１０）歯車（７）が空回転し、最後に巻き取り棒（５）から汚れた布体（１３）を取り外す。
【図面の簡単な説明】
【０００７】
【図１】本発明の斜視図
【図２】本発明の押え具を開放した状態を示す斜視図
【符号の説明】
【０００８】  １  箱体
２  柄
３  中心棒
４  巻きつけ棒
５  巻き取り棒
６  押え枠
７  歯車
８  下部歯車
９  上部歯車
１０  無限ベルト
１１  ハンドル
１２  溝
１３  布体
【図１】
2008149096.tif 000003
【図２】
2008149096.tif 000004
(57)【要約】【課題】  服の大小に関係なくフィットして、ハンガーの跡がつかないハンガーを提供する。【解決手段】  ハンガー部分をジャバラにし、中に曲げ伸し自在の部材を入れ、服の大小に関係なくフィットし、またハンガーの跡がつかないことを特徴としたハンガー。【選択図】図１
2008149100.tif 000002
【特許請求の範囲】
【請求項１】
ハンガーの部分をジャバラにし、中に曲げ伸し自在の部材を入れ、掛ける服に合わせることができることを特徴とするハンガー。
【発明の詳細な説明】
【技術分野】
【０００１】  本発明は、服の大小に関係なくフィットして掛けることができ、また服にハンガーの跡がつかないようにしたハンガーに関するものである。
【背景技術】
【０００２】  従来、服を掛ける時ハンガーが合わないと服の肩部分、または袖部分にハンガーの跡がくっきりとついていた。
【発明の開示】
【発明が解決しようとする課題】
【０００３】  そのために、次のような問題があった。
（イ）服の大小を考えてハンガーを使っていた。
（ロ）ハンガーが合わないと服の肩部分、または袖部分にハンガーの跡がついた。
本発明は、これらの問題点を解決するためになされたのである。
【課題を解決するための手段】
【０００４】  上記の問題点を解決するために、ハンガー部分をジャバラにする。そしてその中に曲げ伸し自在の部材を入れ、掛ける服に合わせることができることを特徴とするハンガーである。
【発明の効果】
【０００５】  その結果、次の効果が生じる。
（イ）ハンガーの肩巾が調節可能なので、服の大小に関係なくフィットして掛けることができる。
（ロ）また服の肩部分が、着ているような状態で掛けることができ、ハンガーの跡がつかない。
【発明を実施するための最良の形態】
【０００６】  以下、本発明の実施の形態について説明する。
（イ）筒状のジャバラ（１）の中に、曲げ伸し自在の部材（２）を入れる。
（ロ）両方のジャバラ（１）の端（３）で曲げ伸し自在の部材（２）を曲げて止める。
（ハ）ジャバラの中央部（４）に穴をあけ、グリップ（５）の軸部（６）を入れ、ジャバラ（１）と接着する。軸部（６）の底部（７）を抜けないように接着部（８）でしっかり固定する。
本発明は以上のような構成で、これを使用するときは、服の大きさに合わせジャバラ部分（１）を自在に曲げ伸し、服を着ている状態と同じ肩の角度を作り、掛けることでフィットし、ハンガーの跡がつくことはない。またグリップ（５）は屋外で洗濯用で使用でき、また、ジャバラ（１）は筒状になっており袖口などから風が入り、乾きやすい利点もある。また、グリップ（５）の部分を図４の示すようにフック（９）にしてもよい。
【図面の簡単な説明】
【０００７】
【図１】本発明の正面図である。
【図２】本発明の使用状態例を示す正面図である。
【図３】本発明の使用状態例を示す正面図である。
【図４】本発明の他の実施例を示す正面図である。
【符号の説明】
【０００８】１  ジャバラ
２  曲げ伸し自在の部材
３  ジャバラ端
４  中央部
５  グリップ
６  軸部
７  底部
８  接着部
９  フック
【図１】
2008149100.tif 000003
【図２】
2008149100.tif 000004
【図３】
2008149100.tif 000005
【図４】
2008149100.tif 000006
(57)【要約】【課題】  従来は展示物は額装したりピン止めすることが普通で、そのためには壁面の存在が必要で例えば空間や机上などに自由な展示をすることは出来なかった。【解決手段】  湾曲せる透明板と同じく湾曲せる不透明板の間隙に展示物を挿入する方法をとったので、何処にでも自由かつ簡単に展示物の提示が可能となった。【選択図】図１
2008149093.tif 000002
【特許請求の範囲】
【請求項１】
透明プラスチック薄板下端に不透明な保持板を設けて当該保持板を微小湾曲させ、プラスチック薄板中央部が突出するよう縦湾曲面を作る。該湾曲中央部の後面には、挿入物押さえ用の湾曲板体を設けて成る図絵等自在提示器具。
【発明の詳細な説明】
【発明の詳細な説明】
【技術分野】
【０００１】  絵画、写真、図絵等の提示技術、方法に関する分野。
【背景技術】
【０００２】  従来、写真図絵等の提示は壁面にピンなどをもって止めるとか、額装して壁面に掛けるなどすることが一般的であった。
【発明が解決しようとする課題】
【０００３】  提示、掲示などが場所にとらわれる事なく、自由かつ簡単な操作で可能となるようにしたい。
【課題を解決するための手段】
【０００４】  湾曲した２枚の板体に目的物を挟み込むようにした。
【発明を実施するための最良の形態】
【０００５】  次に図面によりその構成を説明する。前方へ突出するよう微小湾曲させた保持板１に透明薄板２が固着されており、且つその内側には紙などが挟まる間隔を置いて湾曲内面押さえ板３が固着されている。
写真図絵等は、透明薄板２および湾曲内面押さえ板３の間隙に着脱される訳である。従って挿入された写真図絵等も湾曲状態となり、たとえ透明薄板２の上部に突出していても、前後に傾倒することはない。４は保持板１と一体化された取り付け用支柱である。
本発明は以上のような構成であるから、写真図絵等の形状や大きさにかかわり無く、それらの展示着脱が可能かつ極めて簡単である。
【発明の効果】
【０００６】  写真図絵等の提示掲示行為が、場所にとらわれることなく、単に挿入という簡単な行為だけで可能である。
【図面の簡単な説明】
【図１】  本発明の斜視図である。
【符号の説明】
１は保持板、２は透明薄板、３は湾曲内面押さえ板。
４は取り付け用支柱。
【図１】
2008149093.tif 000003
(57)【要約】【課題】主に、鍋、釜、フライパン等テフロン加工された調理器具を含めた調理器具の汚れをおとす用具として用いられ、磨き、洗う用途を一枚でこなすことができ、かつ、水切り、乾燥が良好で手に安全な洗い具を提供する。【解決手段】化学繊維、合成繊維、合成樹脂等でできているスポンジ本体と、該スポンジ本体の一面に平均的に縫合された金属性タワシより構成される洗い具。【選択図】図１
2008149091.tif 000002
【特許請求の範囲】
【請求項１】
化学繊維、合成繊維、合成樹脂等でできているスポンジ本体と、該スポンジ本体の一面に平均的に縫合された金属性タワシより構成される洗い具。
【請求項２】
前記洗い具の少なくとも一辺に金属性タワシが張り出した縁を有することを特徴とする請求項１記載の洗い具。
【請求項３】
前記洗い具を吊り下げ可能にする吊り手部を形成したことを特徴とする請求項１または２記載の洗い具。
【発明の詳細な説明】
【技術分野】
【０００１】  本発明は、主に、鍋、釜、フライパン等調理器具の汚れをおとす用具として用いる洗い具に関するものである。より詳しくは、調理器具にこびりついたきつい汚れや、凹凸面や隅々の汚れは、金属性タワシから成る面で力強く磨き、テフロン加工された調理器具の汚れは、泡立ちの良い化学繊維又は合成繊維又は、ネットで包んだ合成樹脂から成るスポンジ面で汚れを洗うという二つの用途を併せ持ち、かつ、吊り手を付けることによって水切り、乾燥が良好な洗い具に関するものである。
【背景技術】
【０００２】  従来、鍋、釜、フライパン等の調理用器具を洗い、磨くために二つの素材を組み合わせて二重構造とした洗い具は、天然繊維、合成樹脂系のスポンジ、不織布、化学繊維、合成繊維のいずれかを組み合わせたもので、金属性タワシは単体で使用されるか又は、ネットで包んだ形状で使用されているものの、金属性タワシと組み合わせた二重構造の洗い具は存在しない。
【特許文献１】特開２００５−５８７０６号公報
【発明の開示】
【発明が解決しようとする課題】
【０００３】  そのために、次のような問題点があった。
（イ）金属性タワシは、簡単に型崩れして膨張し、掴みづらくなって洗いづらい。
（ロ）金属性タワシ以外の素材の組み合わせから成る二重構造の洗い具は、磨耗、変形が激しく、品質面で難がある。
（ハ）金属性タワシは、指を怪我する可能性があり、爪も痛みやすい。
本発明は、これらの問題点を解決するためになされたものである。
【課題を解決するための手段】
【０００４】化学繊維、合成繊維、合成樹脂等でできているスポンジ本体と、該スポンジ本体の一面に平均的に縫合された金属性タワシより構成される洗い具。【０００５】  前記の金属性タワシとはステンレススチール系の螺旋形状フオイル等をいう。化学繊維とはナイロン、テトロン、ビニロン、ポリエステル、アクリル繊維等を含む繊維若しくは不織布をいう。又、スポンジとはポリウレタンフオーム等の合成樹脂から成るもので、ポリウレタンフオームをポリエステル系のネットで包むなどが好適な一例である。
【発明の効果】
【０００６】鍋、釜、フライパン等の調理器具を洗い、磨く作業は、二重構造から成る本発明の洗い具だけで目的を達することができるので、効率的であるとともに、縫い合わせしているために形状が安定しており、耐久性に優れている。また、片面がスポンジでできているため、金属性タワシを使う際にスポンジ面を持って洗うことで、手を傷つける心配が無い。加えて、吊り手を取り付けているので、水切り、乾燥が良好である。
【発明を実施するための最良の形態】
【０００７】  以下、本発明の実施の形態について説明する。
（イ）鍋、釜等調理器具の汚れを落とすための洗い具として、ほぼ掌大の大きさにしたスポンジ（２）の一面に金属性タワシ（１）を平らに延ばして、長手方向の一端が（２）よりも若干長目で、張り出すようにして縁（３）を取り、全体を縫い目（５）が碁盤目状なるようにナイロン等の丈夫な化学繊維の糸でしっかりと縫い合わせる。金属性タワシ（１）とはステンレススチール系の螺旋形状フオイル等をいう。化学繊維とはナイロン、テトロン、ビニロン、ポリエステル、アクリル繊維等を含む繊維若しくは不織布をいう。又、スポンジとはポリウレタンフオーム等の合成樹脂から成るもので、ポリウレタンフオームをポリエステル系のネットで包むなどが好適な一例である。
（ロ）スポンジ（２）の端には、幅方向の両端に、水気に強いポリエステル等の太目の編糸で吊り下げ用の輪を形成し、吊り手（４）として前記の丈夫な化学繊維の糸で縫い付ける。
本発明は以上のような構成で、これを使用するときは、テフロン加工が施された鍋、釜、フライパン等の調理器具の汚れを落とす場合には、水若しくはお湯で汚れた表面を濡らしながら洗剤を含ませたスポンジ（２）面を使用する。スポンジ（２）は碁盤目状に金属性タワシ（１）と縫い合わされているので凹凸があり、洗浄効果は大変良好である。一方、金属肌のままの調理器具の汚れを落とし、磨く作業には摩擦に強い金属性タワシ（１）面を使用する。金属性タワシ（１）が平らに縫い付けてあり、長手方向の端に張り出した縁の金属性タワシ部分（３）で微妙な凹凸部分や隅々をくま無く磨き、洗浄することが可能である。加えて吊り手（４）を使ってぶら下げることで水切り、乾燥が良好になる。
【図面の簡単な説明】
【０００８】
【図１】  本洗い具の斜視図である。
【図２】  本洗い具の正面図である。
【図３】  本洗い具の背面図である。
【図４】  本洗い具の側面図である。
【符号の説明】
【０００９】      １  金属性タワシ
２  スポンジ
３  縁
４  吊り手
５  縫い目
【図１】
2008149091.tif 000003
【図２】
2008149091.tif 000004
【図３】
2008149091.tif 000005
【図４】
2008149091.tif 000006
(57)【要約】      （修正有）【課題】従来の貨物車両や旧年式の車両の大半が、後部座席にヘッドレストが装備されていない為に、事故の際、搭乗者にむち打ち等のケガが多く見られる。【解決手段】脱着式ヘッドレストが後部座席を挟み込むような形状を取ることにより、様々な車両に取り付けが容易にでき、なおかつ脱着がスムーズに行えるようになる。【選択図】図１
2008149098.tif 000002
【特許請求の範囲】
【請求項１】
自動車用、後部座席汎用脱着式ヘッドレスト
【請求項２】
前記ヘッドレストは、頭部を保護するヘッドレストと背もたれ部が一体となっていることにより様々な車種に対応可能であり、また、取り付けが簡易な脱着式である事を特徴とする請求項１記載のヘッドレスト。
【発明の詳細な説明】
【技術分野】
【０００１】この発明は、自動車の後部座席に座った搭乗者の頭部を保護する為のヘッドレストに関する。
【背景技術】
【０００２】従来の貨物車両や旧年式の車両の大半が、ヘッドレストが装備されていない。そのため、事故時には後部座席の搭乗者にむち打ち等のケガが多く見られる。
【発明の開示】
【発明が解決しようとする課題】
【０００３】しかしながら、新車から後部座席にヘッドレストの装備が無い車両には、後の取り付けが非常に困難であった。
そこで、この発明は、汎用性のある脱着式ヘッドレストを提供することを課題とする。
【課題を解決するための手段】
【０００４】以上の課題を解決するために、第一発明は、取り付ける車種を問わないことを特徴とするヘッドレストである。
また第二発明は、取り付けの容易な脱着式であることを特徴とするヘッドレストである。
【発明の効果】
【０００５】第一発明、または第二発明によれば、どのような車種でも、後部座席にヘッドレストが必要な際に脱着式ヘッドレストの取り付けが可能である。そのことにより、後部座席の搭乗者の安全が確保される。
【発明を実施するための最良の形態】
【０００６】この発明の一実施形態を、図面に示す。
ヘッドレスト本体１と背もたれマット２は、支柱ボルト４、固定ナット５、スプリングゴム６により一体的となっている。背もたれマット２の内部に骨組素材３が入っている。【０００７】「実施形態の効果」
この実施形態によれば、ヘッドレストの装備が無い車両の後部座席に挟み込む際に、車種による座席の厚みの違いを問わず装着が可能となる。支柱ボルト４、固定ナット５、スプリングゴム６を設けることで、前後左右にずれない安定した装備を可能とする。【０００８】「他の実施形態」
図１の実施形態では、ヘッドレスト本体１と背もたれマット２はほぼ同じ幅であったが、他の実施形態では、ヘッドレスト本体１の幅は狭いものでも良い。
【図面の簡単な説明】
【０００９】
【図１】この発明の一実施形態を示す平面図である。
【図２】この発明の一実施形態を示す側面図である。
【符号の説明】
【００１０】    １  ヘッドレスト本体      ２  背もたれマット      ３  骨組素材
４  支柱ボルト      ５  固定ナット      ６  スプリングゴム
【図１】
2008149098.tif 000003
【図２】
2008149098.tif 000004
(57)【要約】【課題】空港や駅構内に到着してから移動距離が長く、足腰の弱い対象者に車イス機能を設けたスーツケースを提供する。【解決手段】航空機内持込用キャスター付スーツケースの手さげ面（１）を座席に、側面（２）に開閉式足のせを設け、片方側面上部（３）に収納式背もたれ兼手押し部分を設けた、キャスター付スーツケース兼用車イスを特徴とする。【選択図】図１
2008149080.tif 000002
【特許請求の範囲】
【請求項１】
航空機内持込用キャスター付スーツケースを、上部手さげ部分を腰掛けとし、開閉式足のせと、既存の収納式引手である所を背もたれ兼手押し部分として、活用することを特徴とする、キャスター付スーツケース兼用の車イス。
【発明の詳細な説明】
【技術分野】
【０００１】  この発明は、航空機内持込用キャスター付スーツケースを、体重負荷に耐えられ程度の強化を図り、これまでの上部手さげ部分を座席にして、側面に足載せと、これまでの引き手部分を片方側面に背もたれ兼手押し部分とする、キャスター付スーツケース兼用車イスに関するものである。
【背景技術】
【０００２】  従来、スーツケースと車イスは別々になっていた。
【発明の開示】
【発明が解決しようとする課題】
【０００３】  解決しようとする問題点は、従来機内持込用キャスター付スーツケースは、身の回り品収納用として所有者の携行用として使用されていた。一方車イスは、従来障害者及び身体不具合者専用としての利用に限定されて、利用者範囲が限定されていた。
本発明は、以上のような欠点をなくす為になされたものである。
【課題を解決するための手段】
【０００４】  航空機内持込用キャッスター付スーツケースを体重負荷に耐えうる強化を図り、上部手さげ面（１）を座席と兼用に、側面（２）に開閉式足のせを設け、更に片方側面に収納式引き手部分（３）を収納式背もたれ兼手押し部分として設ける。
本発明は、以上の構成よりなるスーツケース兼用車イスである。
【発明の効果】
【０００５】  航空機内持込可能のキャスター付スーツケースは持ち運びが手軽で、健常者が移動距離の長い飛行場や駅構内で使用している。これを既に身体障害者ではないが足腰が弱い人が使用出来ることにより、利用者範囲の広がりが期待され旅行者増に貢献出来る。
【発明を実施するための最良の形態】
【０００６】  以下、本発明を実施するための最良の形態について説明する。
キャッスター付スーツケース各部分の強化を図り、手さげ面（１）を座席に使用する。側面下部を軸に（２）開閉式足のせを設ける。片方側面上部（３）に収納式背もたれ兼手押し部分を設ける。
本発明は、以上のような構造である。
これを使用するときは、足のせを開き、更に手押し部分を引出して、手さげ面に着座の上、足のせに足をのせて相方に押してもらえばよい。目的場所に来たら、足のせ部分を収納したら、通常のキャスター付スーツケース又は手さげスーツケースとして利用すればよい。
【図面の簡単な説明】
【０００７】
【図１】  本発明の斜視図である。
【図２】  本発明の断面図である。
【符号の説明】
【０００８】  １、座席兼手さげ面
２、足のせ
３、背もたれ兼手押し部分
【図１】
2008149080.tif 000003
【図２】
2008149080.tif 000004
(57)【要約】【課題】連結具の両端それぞれに、竿用クリップを設けた洗濯用連結ピンチであって、竿用クリップを角ハンガーと竿に装着することにより、角ハンガーが風で竿の片隅に吹き寄せられたり、角ハンガー自体の回転で、ベランダ等の壁面の汚れが洗濯物に付着する事を防ぎ、竿が角ハンガーと一緒に竿フックから離脱して、落下することを防ぐ為の洗濯用連結ピンチを提供する。【解決手段】先端を挟持部とする竿用クリップを連結具の両端に、それぞれ一個ずつ結合させた洗濯用連結ピンチ。【選択図】図１
2008149078.tif 000002
【特許請求の範囲】
【請求項１】
竿用クリップを連結具の両端にそれぞれ結合させた洗濯用連結ピンチ。
【発明の詳細な説明】
【技術分野】
【０００１】  本発明は、連結具の両端に竿用クリップを設けた洗濯用連結ピンチに関するものである。
【背景技術】
【０００２】  従来、竿クリップ付き角ハンガー、回転止め付き角ハンガー、竿落下防止具それぞれに買い揃える必要があった。
【発明の開示】
【発明が解決しようとする課題】
【０００３】  これは次のような欠点があった。
（イ）ベランダなどに干す場合、角ハンガーの回転で壁面の汚れが洗濯物に付着する。
（ロ）風による角ハンガー自体の片寄りで、洗濯物の乾きが悪くなる。
（ハ）強風によって、ハンガーの片寄りだけではなく、竿ごと落下することがある。
本発明はこれらの問題点を、まとめて解決するためになされたものである。
【課題を解決するための手段】
【０００４】  連結具の両端それぞれに竿用クリップを設ける。以上を特徴とする洗濯用連結ピンチである。
【発明の効果】
【０００５】  広く一般に使われている角ハンガーに本発明を装着するだけで、角ハンガーの風による回転を止め、片寄りによる洗濯物の重なりを防ぐ。更に竿の落下をも防止できる。
【発明を実施するための最良の形態】
【０００６】  以下、本発明の実施の形態について説明する。
紐状の連結具（３）の両端それぞれに、先端を挟持部とする竿クリップ（１）のバネ部（２）を結合させる。
本発明は以上のような構造でこれを使用するときは、連結具（３）によって結合された片方の竿クリップ（１）で角ハンガー（４）を挟み、もう一方の竿クリップ（１）で竿（５）を挟み、角ハンガー（４）を固定するものである。
このとき竿（５）の落下を防止するには本発明を、竿（５）を受ける竿フック（６）の下からまたぐようにしながら、竿クリップ（１）は角ハンガー（４）と竿（５）それぞれに装着する。
【図面の簡単な説明】
【０００７】
【図１】本発明の平面図である。
【図２】本発明の使用状態を示す斜視図である。
【図３】本発明の使用状態を示す斜視図である。
【符号の説明】
【０００８】  １  竿クリップ
２  バネ部
３  連結具
４  角ハンガー
５  竿
６  竿フック
【図１】
2008149078.tif 000003
【図２】
2008149078.tif 000004
【図３】
2008149078.tif 000005
(57)【要約】【課題】掛布団に設けたカバーの内側にもう１枚同一及び別の種類の掛布団を重ね合わすことにより保温性を高め着脱自在になる２枚重ねになるカバー付掛布団を提供する。【解決手段】掛布団の周縁に係止具の紐を設け、その上部にファスナーを設けたカバーをミシンのダブルステッチで縫合固定することによりカバーの内側に別の掛布団を重ね合わせ着脱自在になることを特徴とする２枚重ねになるカバー付掛布団。【選択図】図１
2008149086.tif 000002
【特許請求の範囲】
【請求項１】
掛布団の周縁に係止具の紐を設け、その上部にファスナーを設けたカバーをミシンのダブルステッチで縫合固定することによりカバーの内側に別の掛布団を重ね合わせ着脱自在になることを特徴とする２枚重ねになるカバー付掛布団。
【発明の詳細な説明】
【技術分野】
【０００１】  本発明は、掛布団に設けたカバーの内側にもう１枚別の掛布団を重ね合わすことができ保温性を高め脱着自在になる２枚重ねになるカバー付掛布団に関するものである。
【背景技術】
【０００２】（イ）従来、２枚重ねの掛布団は同種の掛布団の周縁に雄ボタンを、もう一枚の掛布団の周縁に雌ボタンを固定して２枚重ねて脱着しており、本発明の２枚重ねになるカバー付掛布団のように２枚重ね用としてセットになってない掛布団を重ね合わせることができ、かつ保温性を高めた掛布団はなかった。
（ロ）従来、掛布団の周縁には図１に示すように掛布団の汚れを防止するカバーの係止として紐通し７（カバー留めのループ）を設ける。
本発明は、これを２枚重ねになるカバー付掛布団との連結に利用するものである。
【発明の開示】
【発明が解決しようとする課題】
【０００３】  それには次のような問題点があった。
（イ）従来、２枚重ねの掛布団は、着脱のボタンの位置が決まっており、別の掛布団を重ね合わせても留めることができない。
（ロ）使用中、２枚の掛布団の間に手や足をひっかけたりボタンの着脱を繰り返すことによりボタンがとれてしまい掛布団がはがれて不快である。
（ハ）重ね合わされた２枚の掛布団の間から保温された空気が放出していた。
（ニ）２枚重ね合わされた掛布団の周縁をボタンで係止されたところ以外は隙間があり襟元が不快である。
本発明は、以上の問題点を解決するためのものである。
【課題を解決するための手段】
【０００４】  掛布団の周縁に係止具の紐を設け、その上部にファスナーを設けたカバーをミシンのダブルステッチで縫合固定することによりカバーの内側に別の掛布団を重ね合わせ着脱自在になることを特徴とする２枚重ねになるカバー付掛布団である。
【発明の効果】
【０００５】  本発明は、２枚重ねになるカバー付掛布団を肌掛布団、合掛布団、掛布団で実施すれば季節と好みに応じて別の重ね合わす掛布団を肌掛布団、合掛布団、掛布団などを利用すれば複数組み合わすことができる。
又２枚重ねになるカバー付掛布団の内側に設けた係止具の紐を長めに設け、重ね合わせた掛布団との連結に余裕があるため２枚の掛布団同士が引き合うこともなく、又ファスナーを閉じることにより重ね合わされた掛布団が包まれた状態になりはがれることもない。
又保温性が高まり部屋の温度が低くても掛布団が暖かく襟元もカバーの作用で１枚の掛布団状態になるため不快感もなくなった。
【発明を実施するための最良の形態】
【０００６】  以下、本発明の実施の形態を説明する。
第一の掛布団１の周縁に係止具の（紐）２を設ける。
カバー３にファスナー４を設ける。
第一の掛布団１とカバー３の周縁を縫合固定（ミシン目のダブルステッチ）５をする。
本発明は、以上の構成によりなりたっている。
本発明を使用するときは、上記第一の掛布団１に周縁を縫合固定（ミシン目のダブルステッチ）５されたカバー３に設けられたファスナー４を開け第二の掛布団６を第一の掛布団１に重ね合わせて紐通し（カバー留めのループ）７に係止具（紐）２を通して留めることにより、２枚の掛布団が係合してファスナー４を閉じることにより２枚重ねになるカバー付掛布団。
【図面の簡単な説明】
【０００７】
【図１】  本発明の使用状態を示した斜視図
【図２】  本発明の分解斜視図
【符号の説明】
【０００８】  １    第一の掛布団
２    係止具（紐）
３    カバー
４    ファスナー
５    縫合固定（ミシン目のダブルステッチ）
６    第二の掛布団
７    紐通し（カバー留めのループ）
【図１】
2008149086.tif 000003
【図２】
2008149086.tif 000004
(57)【要約】【課題】  従来、就寝時等で顔の皮膚表面等の乾燥を防ぐ方法は、顔に濡れタオルをかぶせたりしていたが、これでは寝返りをしたりすると簡単に外れたりして不便であったため、容易にはずれたりしない、乾燥肌防止用顔面マスクを提供する。【解決手段】  顔面を覆うことが可能なガーゼ状の顔面マスク（１）であって、目、鼻、及び口部位を開口し、かつ耳かけ用の弾力性ゴム紐（３）を付属させたことを特徴とする。【選択図】図１
2008149090.tif 000002
【特許請求の範囲】
【請求項１】
薄い繊維状の布等を任意数重ねて外周を顔面に合せて多角形状に裁断し、目と鼻と口の部分も同様に見たり息をしたり、出来得る様に任意の形状の形に裁断し、その縁を糸でかゞるか、密着し、繊維がほころびないようにし、耳に当る部分に伸縮出来得る材質の細い紐を縫い付けるか溶着し、耳に簡単に着脱出来得るように形成した顔面マスク。
【請求項２】
顔面マスクの上面に高分子物質の薄いシートを重ね合わせて、目と鼻と口の部分を前と同様に裁断し、シートの外周は、顔面マスクの外周によりやゝ大きく平行に裁断し、顔面マスクの外周縁と目鼻口の渕も重ね合わせた部分を糸でかゞるか溶着してなる顔面マスク。
【発明の詳細な説明】
【技術分野】
【０００１】  本発明は、薄い繊維状の布を顔面一杯に覆い、顔面の皮膚表面より発生する水分の蒸発を抑制して、皮膚表面にうるおいをもたらし、乾燥を防止する簡単パックの顔面マスクに関するものである。
【背景技術】
【０００２】  従来、顔面皮膚の表面水分の乾燥を防ぐには、夜寝る時に顔面にタオルを掛けて寝るとか、エステ等では薄手のガーゼ状の布を顔にかぶせて、手又は鋏等で鼻と口の部分を切り裂いて使用したりしているが、大変不便であった。
【発明の開示】
【発明が解決しようとする課題】
【０００３】  そのために、次のような問題点があった。
（イ）  顔面皮膚表面水分の乾燥を防ぐため、寝るときタオルを顔面に掛けて寝ていても、寝返り等で簡単に外れたりして不便である。
（ロ）  エステ等で美容のため薄いガーゼ等を鼻と口の部分を鋏や手等でカットして使用したりしているが、やはり取扱いが不便である。
【課題を解決するための手段】
【０００４】  顔面形にやゝ近い多角形の薄いガーゼ状の布を、目鼻、口の部分について見たり、息をしたり出来得るように、図１の如くカットし、そのまわりの繊維がほころびないように、糸等でかゞるか溶着し、顔面マスクが簡単に着脱出来得るように、細い弾力性の紐を設けてなる。
以上のように構成された顔面マスクである。
【発明の効果】
【０００５】  手にて簡単に顔面にしっかりと着脱出来、顔面皮膚水分の養生が簡単に出来、きわめて便利で安全である。
【発明を実施するための最良の形態】
【０００６】  以下、本発明の実施の形態について説明する。
顔面形の薄いガーゼ状布の左右に細い弾力性ゴム紐（３）を設け、目鼻口の部分をカットして、顔面にしっかりと密着してなる顔面マスク（１）。
尚、本発明の細かい実施例として、顔面マスク（１）の上面に高分子物質の薄いシート（２）を顔面マスク（１）の外周より大き目にやゝ平行にカットし、顔面マスク（１）の外周と目鼻口とも重なる部分もカットしてその縁をかゞるか密着してなる顔面マスクとすることも可能である（請求項２記載）。
【図面の簡単な説明】
【０００７】
【図１】  本発明の正面図
【図２】  本発明の斜視図
【図３】  本発明の上面に薄いシートを重ね合せ、一部を切り欠いた正面図
【符号の説明】
【０００８】    １  顔面マスク
２  薄いシート
３  弾力性ゴム紐
【図１】
2008149090.tif 000003
【図２】
2008149090.tif 000004
【図３】
2008149090.tif 000005
(57)【要約】【課題】  ハンドルレバー操作により、楽に強く足裏のツボを押圧できるようにする。【解決手段】  本体パイプ１右上にハンドルレバー２を取り付け、本体パイプ１下は足の甲を固定する固定パイプ３であり、足の甲が痛くないようにスポンジが巻かれている。その両端上方向に穴があいており、コの字に曲がった突起棒引き上げパイプ４を差し込んであり、中心に突起棒５を突起が上を向くように付けてある。前記突起棒は、足の厚みを調節できるように、左右に回して上下できるようになっている。【選択図】図１
2008149087.tif 000002
【特許請求の範囲】
【請求項１】
固定パイプに足の甲を固定させ、ハンドルレバー操作により手でにぎれば突起棒が固定パイプ方向に上がり、手を放せば下がることを特徴とする足裏のツボマッサージ器。
【請求項２】
請求項１記載の突起棒は、足の厚みを調節できるように上下できることを特徴とする足裏のツボマッサージ器。
【発明の詳細な説明】
【技術分野】
【０００１】  本発明は、足裏のツボマッサージ器に関する。
【背景技術】
【０００２】  従来、足裏のツボを押圧するマンサージ器は、ローラー式のものや、バイブレーション式のもの等がある。【０００３】  上述の足裏のツボマッサージ器では、ローラー式、バイブレーション式ともに足裏に刺激を柔らかに与えるものであり、手に突起棒をにぎり足裏を押圧するのがもっとも効果的であるが、自分の手でやるには楽に効果を得ることができない。
【発明の開示】
【発明が解決しようとする課題】  本発明はこのような点を考え、手に突起棒を握り足裏を強く押圧する効果を、もっと楽にできるようにすることにある。
【課題を解決するための手段】
【０００５】  上述の目的を達成する本発明の足裏のツボマッサージ器は、固定パイプに足の甲を固定させ、ハンドルレバー操作により手でにぎれば突起棒が固定パイプ方向に上がり、手をはなせば下がる。前記突起棒は、足の厚みを調節できるように、上下することができることを特徴とする。
【発明の効果】
【０００６】  以上説明したように、本発明によれば自転車ブレーキをにぎるほどの握力で、固定パイプに足の甲を固定させ、突起棒で足裏のツボを押圧すことができることで、楽に自分自身で強い押圧を求めることができる。
【発明を実施するための最良の形態】
【０００７】  以下、本発明の実施の形態を、図面に基づき、詳細に説明する。【０００８】  図１、２は本発明の第１の実施に孫り、図１はその外観斜視図、図２は断面図である。【０００９】  図１に示すように、本体パイプ１右上にハンドルレバー２を取り付け本体パイプ１下は足の甲を固定する固定パイプ３であり足の甲が痛くないようにスポンジが巻かれている。その両端上方向に穴が開いており、コの字に曲がった突起棒引き上げパイプ４を差し込んでいて、その中心に突起棒５が固定パイプ方向に突起が向くよう取り付けてある。【００１０】  上記突起棒５は図２に示すように、Ｍ１２のネジが切ってあり足の厚みを調節できるように、左右に回して上下できるようになっている。【００１１】  ハンドルレバー２は図２に示すように、ハンドル６とレバー７を開くよう根元にトーションばね８が入っていてトーションばね８の穴、ハンドル６、レバー７の根元に穴を貫通させＭ６ボルト９を通してナットでとめてある。【００１２】  図２に示すように、レバー７から突起棒引き上げパイプ４の右下Ｒ部少し上にかけて５ｍｍの丸棒１０を取り付けてあり、レバー７には８ｍｍの円柱のピン１１側面中心にＭ５の内ネジを切ったものをレバー７横に穴を貫通させ通し、下から５ｍｍの丸棒１０をねじ込んで固定してある。５ｍｍの丸棒１０下側には平板に穴を開けたものを穴が横になるように取り付け、突起棒固定パイプ４にも穴を貫通させＭ６ボルト１２を通してナットでとめてあり、ハンドル６をもってレバー７をにぎれば突起棒引き上げパイプ４が上がり、レバー７をはなせばトーションばね８が開き突起棒引き上げパイプ４は下がる。
【実施例】
【００１３】  本体パイプ１、突起棒引き上げパイプ４はプラスチックパイプにて実施する。本体パイプ１は外径２６ｍｍ内径２２ｍｍ突起棒引き上げパイプ４は外径２０ｍｍのものを使用、ハンドルレバーはアルミ製
【図面の簡単な説明】
【００１４】
【図１】    本発明の外観斜視図
【図２】    図１の断面図
【符号の説明】
【００１５】１  本体パイプ
２  ハンドルレバー
３  固定パイプ
４  突起棒引き上げパイプ
５  突起棒
６  ハンドル
７  レバー
８  トーションばね
９  Ｍ６ボルト
１０  ５ｍｍ丸棒
１１  円柱のピン
１２  Ｍ６ボルト
【図１】
2008149087.tif 000003
【図２】
2008149087.tif 000004
(57)【要約】【課題】  レバーとトイレットペーパーを挟んで給紙するための２本のローラーを設けたトイレットペーパーホルダーを提供する。【解決手段】  トイレットペーパーの端緒を挟む２本のローラーと、歯車を介してそのローラーを回転させるためのレバーを設けることを特徴とするトイレットペーパーホルダーである。【選択図】図３
2008149081.tif 000002
【特許請求の範囲】
【請求項１】
手動レバーを引くことにより、レバーの下端に固定した分円形の歯車と、別の歯車を介して連動する２本のローラーを回転させることにより、必要量のトイレットペーパーを取り出すことのできるトイレットペーパーホルダー。
【発明の詳細な説明】
【技術分野】
【０００１】  本発明は、手動レバーを作動することにより必要量のトイレットペーパーを取り出すことのできるトイレットペーパーホルダーである。
【背景技術】
【０００２】  従来から、手でペーパーを直に掴んで引き出すトイレットペーパーホルダーはあった。
【発明の開示】
【発明が解決しようとする課題】
【０００３】  従来品には、次のような問題点があった。
ア  トイレットペーパーの端緒を探し難いことがある。
イ  トイレットペーパーの端緒に指が掛かり難いため（特に高齢者）、取り出すことに不便がある。
ウ  トイレットペーパーを引き出した際、ブレーキがないため引いた勢いで空回りし、余分に引き出されることがある。
本発明は、これらの問題点を解決するためになされたものである。
【課題を解決するための手段】
【０００４】  中程を回転軸によって固定され下端に分円形の歯車を持つレバーと、同歯車に連動する歯車を介して回転するペーパーを挟んで給紙するための上下に接した２本のローラーを設けることを特徴とするトイレットペーパーホルダーである。
【発明の効果】
【０００５】  トイレットペーパーを装着する際に、ペーパーの端緒を２本のローラーの間に挟んでおくことにより、ペーパーを必要とする際は、レバーを引くと下端の分円形歯車に連動して他のそれぞれの歯車が回転し、ローラーがペーパーを押し出すので、手によってペーパーの端緒を探したり確保したりする必要がなく、ペーパーをスムーズに取り出すことできる。
【発明を実施するための最良の形態】
【０００６】  以下、本発明の実施の形態について説明する。
ア  ペーパーホルダーの上部位置に、下端に分円形の歯車ア（２）を持つ手動レバー（１）を設ける。なお、同レバーは中程を回転する軸に固定するため、軸を中心にして上下端が前後に引押できる。
イ  レバーに固定した分円形の歯車ア（２）にかみ合う歯車イ（３）と、歯車イ（３）と同軸で径が異なる歯車エ（５）を設ける。
なお、歯車イ（３）と歯車エ（５）の間には逆転防止のための片歯車ウ（４）を組み込む。
ウ  歯車エ（５）とかみ合う径が異なる歯車オ（６）を設ける。
エ  歯車オ（６）と同軸で回転する歯車カ（７）を設け、さらに歯車カ（７）にかみ合う歯車キ（８）を設ける。
オ  歯車カ（７）及び歯車キ（８）には、それぞれ同軸で回転する上下に接する２本のローラー（１１）を設け、同ローラーの他端に歯車ク（９）と歯車ケ（１０）を取り付ける。
本発明の主な構成は以上であり、これを使用するときは、レバー（１）を引くことにより歯車ア（２）と他の歯車を介して２本のローラー（１１）を駆動させる。同ローラーは互いに接して向かい合った方向で回転するため、予めローラー間に挟み込んでおいたペーパーを押し出すこととなる。
【図面の簡単な説明】
【０００７】
【図１】  本発明の正面断面図であり、歯車による動力の伝わり方を示す。
【図２】  本発明の右側面断面図であり、歯車のかみ合う状態を示す。
【図３】  本発明にトイレットペーパーを設置する際の使用状態を示す前面及び側面カバー部の一部を欠いた斜視図である。
【符号の説明】
【０００８】（１）レバー
（２）歯車ア
（３）歯車イ
（４）片歯車ウ
（５）歯車エ
（６）歯車オ
（７）歯車カ
（８）歯車キ
（９）歯車ク
（１０）歯車ケ
（１１）ローラー
（１２）ペーパーカッター
（１３）トイレットペーパー
（１４）ペーパーの引出方向を示す
【図１】
2008149081.tif 000003
【図２】
2008149081.tif 000004
【図３】
2008149081.tif 000005
(57)【要約】【課題】従来の靴用中敷の形状は、複数の鼻緒で足指を支えるという目的が無かったため、足指でふんばる事ができず、足本来の機能や筋肉が衰えてしまい、足指の形状も歪む可能性があった。【解決手段】鼻緒２を中敷本体１に複数設ける。【選択図】図１
2008142447.tif 000002
【特許請求の範囲】
【請求項１】
複数の鼻緒により足指を支える機能を設けたことを特徴とす
る靴の中敷。
【発明の詳細な説明】
【技術分野】
【０００１】
この発明は、靴の中敷に関する。
【背景技術】
【０００２】
従来の靴の中敷は、中敷の鼻緒を複数設けて足指を支えるという目的を持たな
いものである。
【発明の開示】
【発明が解決しようとする課題】
【０００３】
しかしながら、以上の技術によれば、足指でふんばる事ができず、足本来の機
能や筋肉が衰えてしまい、足指の形状も歪む可能性があった。そこで、この発明
は、一般に市販されている通常の形状の靴に使用することが出来る靴用中敷であ
り複数の鼻緒により鼻緒を足指で挟むことで５本の足指を使い、足指でふんばる
と言う足本来の機能や筋肉を鍛えるのに高い効果を持っている上、中敷を靴に自
由な位置で固定することによって自分の足に丁度良くなるように調節することも
可能である靴の中敷を提供することを課題とする。
【課題を解決するための手段】
【０００４】
以上の課題を解決するために、第一発明は、複数の鼻緒により足指を支える機
能を設けたことを特徴とする靴の中敷である。
【発明の効果】
【０００５】
第一発明によれば、靴の中敷に複数の鼻緒を設けたので、足指でふんばりやすい。
【発明を実施するための最良の形態】
【０００６】
この発明の一実施形態を、図１に示す。
靴の中敷の本体１には、鼻緒が複数設けられている。
【０００７】
「実施形態の効果」
この実施形態によれば、複数の鼻緒の働きで、足指でふんばりやすくなる。し
たがって、足指でふんばると言う足本来の機能や筋肉を鍛えるのに高い効果を
持っている。
【０００８】
「他の実施形態」
図１の実施形態では、鼻緒は２つであるが、他の実施形態では、鼻緒は４つ設
けてさらに足指との一体感を高めるものでも良い。
【図面の簡単な説明】
【０００９】
【図１】この発明の一実施形態を示す斜視図である。
【符号の説明】
【００１０】
１  靴用中敷本体            ２  鼻緒
【図１】
2008142447.tif 000003
(57)【要約】      （修正有）【課題】パッティングにおいて精度の高いカップインを実現するために、光線を利用した練習器を提供する。【解決手段】目標３に向かって光線８を発射し、照準を合せて光源２を固定する。次に光線８上にゴルフボール４を置き、その真後にパターホルダーＡ−１を装着したパターを置く、その場合にパターホルダーＡ−１の最後尾にある受光部５に光線８が当たるようにセットすると発光する。この時点でパターフェースが光線８に対して直角を形成した発光状態を保ちながらテークバック及びフォロースルーの動作をするとパターフェースを真直ぐに引いて真直ぐに出すことができる。そして打ち出されたゴルフボール４はパターフェースから離れるので、光線８を遮断するものがなくなりボールに光線８を照射したままの状態で目標３に到達する。転がるボールに光線８を照射すると方向性、回転率、傾斜等による方向変更分岐点等が把握できる。【選択図】図２
2008142497.tif 000002
【特許請求の範囲】
【請求項１】
パターホルダー（Ａ−１）は、パターにゴム輪、両面テープ、磁石等で簡易に脱着できる構造を有し、形体として例えれば、Ｔ型定規で、Ｔ字の短い部分２０ミリから９０ミリの寸法にフック形状の突起を設けており、その部分をパターフェース部に引掛けるようにセットすると、Ｔ字の長い部分６０ミリから１３０ミリの軸部がパターフェースに対し直角になる。又、最後部に長さ２０ミリから３０ミリ、巾５ミリから１５ミリの長方形で中心部分が３ミリから１３ミリの透明の受光部（Ａ−２）を設けてある。透明部分に光線を受光した場合のみ発光する。部材としては樹脂、カーボン、アルミニウム、チタン等が好ましい。
【請求項２】
パッティングの過程として、第１番目に目標に対してレーザー光又は、ＬＥＤ光、等の光源を利用した光線を目標に合わせておく。第２番目にその光線上にボールを置く。第３番目にパターホルダー（Ａ−１）を装着したパターを置いて受光部（Ａ−２）に光線が当たるようにセットすると発光する。これで光線上に１列に並んだ状態が形成され、発光した状態を保ちながらテークバック及びフォロースルーの動作をすると、パターフェースが真直ぐに引いて真直ぐに出せる、そして打ち出されたボールは光線上を転がり目標まで到達する。
【請求項３】
ボールに光線を照射した状態で転がすと次のデーターを得ることができる。直進性、回転率、及び傾斜等の影響でボールから光線が外れた時点を方向変更分岐点と位置づける。
【請求項４】
方向変更分岐点を目標として光線の照準を合わせた後、方向変更分岐点からボールが傾斜に対し左右どちらかに湾曲してカップインする。この行跡を再現するのに簡単に曲げることが可能なアルミニウム棒（Ｄ−１）を使用して行跡のとおりに曲げて架線の様に吊りさげて、この下にボールを転がすことで行跡再現が可能となるその手段と使用する機器。
【発明の詳細な説明】
【発明の詳細な説明】
【技術分野】
【０００１】本発明は光線を利用しテークバックからフォロースルーにいたる一連の動作を簡易にしかも正確に取得できるパッティング練習器である。
【背景技術】
【０００２】従来の光線式パター練習器は例えば、特許公開出願平８−１９６６７４に記載された案件とか又、特許公開２００３−３０５１４８も同様で、パター本体に光源を取付けた一体構造なので目標に照準を合せることは容易であるが、欠点はパター本体に固定しているので光線を発射状態にしてテークバックからフォロースルーの動作をとると光線が上下左右に乱射することがあり人の目に当ることもあり危険である。
【発明の効果】
【０００３】本発明は光線を乱射する従来の機器とは異なり、光源を固定し低い位置に光線を発射しているのでより安全である。
【発明が解決しようとする課題】
【０００４】本発明の目的は、テークバック及びフォロースルーにいたる動作の反復を安易にして安全に、しかも正確にパッティング練習できる機器を提供する。
【課題を解決するための手段】
【０００５】上記目的を解決するため本発明の第一はパターホルダー（Ａ−１）を設けたことである。パターホルダー（Ａ−１）を使用することで後方から受光できる。又、光源より発射する光線は低い位置から低い目標方向に向かって固定化することが可能となり安全性も高まった。
【０００６】ボールに光線を照射した状態で転がすと次のデーターを得ることができる。直進性、回転率、傾斜等の影響でボールから光線が外れた時点を方向変更分岐点と位置づける。
【発明を実施するための最良の形態】
【０００７】図１はパターホルダー（Ａ−１）の平面図（ａ−１）である。側面図（ａ−２）である。【０００８】図２はシステムの側面図  手順１（ｓ−１）である。手順２（ｓ−２）である。手順３（ｓ−３）である。手順３の平面図（ｓ−４）である。【０００９】図３はテークバックの側面図である。【００１０】図４はフォロースルーの側面図である。【００１１】図５は方向変更分岐点からの行跡表示アルミニウム棒（Ｄ−１）及び機器。
【図面の簡単な説明】
【図１】パターホルダー（Ａ−１）の平面図（ａ−１）  パターホルダー（Ａ−１）の側面図（ａ−２）
【図２】手順の側面図  （ｓ−１）目標に対して光源から光線を発射して目標に固定する。（ｓ−２）光線上にボールを置く。（ｓ−３）光線上にパターホルダー（Ａ−１）にパターを装着して置く。手順の平面図  （ｓ−４）光線上にパターホルダー（Ａ−１）にパターを装着して置く時に受光部（Ａ−２）に光線が当たるようにセットすると発光する。
【図３】テークバックの側面図
【図４】フォロースルーの側面図
【図５】方向変更分岐点からの行跡表示鳥瞰図
【符号の説明】
１  パターホルダー
２  光源
３  目標
４  ゴルフボール
５  受光部
６  角度９０度
７  カップ
８  光線
９  アルミニウム棒
１０  方向変更分岐点
１１  パターホルダー装着パター
【図１】
2008142497.tif 000003
【図５】
2008142497.tif 000004
【図２】
2008142497.tif 000005
【図３】
2008142497.tif 000006
【図４】
2008142497.tif 000007